(57)【要約】      （修正有）【課題】市販の歯ブラシ本体に、吸引と注水機能を設置し、安価で安全、かつ効率的に口腔ケアを施行する。【解決手段】歯ブラシにあけた２ヶ所の前方の穴に挿入したカテーテルの末尾をサクションチューブに接続、吸引する。また、後方のカテーテルは洗浄用水を入れた経管栄養用ボトルのルートへ接続し注水する。口腔ケアを行う対象者（以下、対象者とする）に口角鉤を使用し、吸引しながら洗浄水を入れた経管栄養用ボトルのクレンメを１滴／１秒程度に設定し、滴下注水する。注水と吸引が同時にできる歯ブラシで、対象者の口腔のブラッシングを行う。注水と吸引を同時に行うことにより洗浄水誤嚥の危険性を回避、ケア時間を短縮することができる。【選択図】図２
0003116382.tif 000002
【実用新案登録請求の範囲】
【請求項１】
非経口摂取患者の口腔ケアを簡便に行うために、歯ブラシの植毛の柄の部分に、サクションカテーテル（医療用具承認番号  １５９００ＢＺＺ０１４５５０００）が挿入できるよう２ヶ所、穴をあけた歯ブラシ
【請求項２】
歯ブラシにあけた２ヶ所の前方の穴に挿入したカテーテルの末尾をサクションチューブに接続し、吸引する。また、後方のカテーテルは洗浄用水を入れた経管栄養用ボトルのルートへ接続する吸引注水機能つき口腔ケア装置
【考案の詳細な説明】
【技術分野】
【０００１】  本考案は市販の歯ブラシを利用して、非経口摂取患者にも安価で安全に使用できる口腔ケア用具である
【背景技術】
【０００２】  近年、口腔ケアは不顕性誤嚥による高齢者の肺炎の予防や治療法としても、重要性が高まっている。
しかし、従来行われている歯ブラシブラッシング、シリンジ注水、サクションカテーテルによる吸引では洗浄水の誤嚥の危険性や介助者一人では、施行できないなどの問題があった。近年では、吸引機能つき歯ブラシが市販されているが、これらは、高価なこと、さらに、ヘッドが大きく使用しづらい、という難点が指摘されている。
【考案の開示】
【考案が解決しようとする課題】
【０００３】  市販の歯ブラシを利用して安価で安全に使用できる口腔ケア用具の開発
【課題を解決するための手段】
【０００４】  市販の小ぶりの歯ブラシの植毛の柄の部分にサクションカテーテルを挿入するための穴（１２Ｆｒ場合直径４ｍｍ）を２ヶ所、家庭用ドリルであける。このときの、穴と穴の間隔は２ｍｍ程度とする。
歯ブラシにあけた２ヶ所の前方の穴に挿入したカテーテルの末尾をサクションチューブに接続、吸引する。また、後方のカテーテルは洗浄用水を入れた経管栄養用ボトルのルートへ接続し注水する。
【考案の効果】
【０００５】  注水と吸引が同時に行うことにより誤嚥の危険性を回避、ケア時間の短縮することができる。
口角鉤を併用することにより口腔内の視野を確保しながらブラッシングのケアの状態が見やすい。
介助者の片手が自由に使えることにより、開口のためにＫポイントを圧したり頭部を動かす、または、噛むなどの不意の対象者の動作にも対応できる。
安価であり病院の臨床の現場では日常使っている物品にて簡単に製作可能なこと。
【考案を実施するための最良の形態】
【０００６】  歯ブラシにあけた２ヶ所の前方の穴に挿入したカテーテルの末尾をサクションチューブに接続、吸引する。また、後方のカテーテルは洗浄用水を入れた経管栄養用ボトルのルートへ接続し注水する。
【図面の簡単な説明】
【０００７】
【図１】歯ブラシのブラシ部の平面図
【図２】歯ブラシのブラシ部の断面図
【図３】吸引注水機能つき歯ブラシ使用装置略図
【符号の説明】
【０００８】１    吸引用サクションカテーテル
２    吸引用先端孔
３    注水用サクションカテーテル
４    注水用先端孔
５    側孔
６    毛
７    点滴スタンド
８    経管栄養ボトル
９    吸引注水機能つき歯ブラシ
１０  吸引機
【図１】
0003116382.tif 000003
【図２】
0003116382.tif 000004
【図３】
0003116382.tif 000005
【手続補正書】
【提出日】平成17年8月18日(2005.8.18)
【手続補正１】
【補正対象書類名】実用新案登録請求の範囲
【補正対象項目名】全文
【補正方法】変更
【補正の内容】
【実用新案登録請求の範囲】
【請求項１】
歯ブラシの植毛の柄の部分にあけた２ヶ所の穴と、これら２ヶ所の穴にそれぞれ挿入された２本のカテーテルを備えた吸引注入機能つき歯ブラシ。
【請求項２】
歯ブラシの植毛の柄の部分にあけた２ヶ所の穴のうち、前方の穴に挿入したカテーテルの末尾は、サクションチューブに接続され、吸引機により口腔内の洗浄用水が吸引され、また、後方の穴に挿入したカテーテルは洗浄用水を入れた経管栄養用ボトルのルートへ接続され、口腔内に洗浄用水が注入されることを特徴とする吸引注入機能つき口腔ケア装置。
【手続補正２】
【補正対象書類名】明細書
【補正対象項目名】全文
【補正方法】変更
【補正の内容】
【考案の詳細な説明】
【技術分野】
【０００１】
本考案は市販の歯ブラシを利用して、非経口摂取患者にも安価で安全に使用できる口腔ケア用具である吸引注水機能つき歯ブラシに関する。
【背景技術】
【０００２】
近年、口腔ケアは不顕性誤嚥による高齢者の肺炎の予防や治療法としても、重要性が高まっている。
しかし、従来行われている歯ブラシブラッシング、シリンジ注水、サクションカテーテルによる吸引では洗浄水の誤嚥の危険性や、介助者一人では施行できないなどの問題があった。近年では、吸引機能つき歯ブラシが市販されているが、これらは、高価なこと、さらに、ヘッドが大きく使用しづらい、という難点が指摘されている。
【考案の開示】
【考案が解決しようとする課題】
【０００３】
そこで、本考案は、市販の歯ブラシを利用して安価で安全に使用できる口腔ケア用具である吸引注水機能つき歯ブラシを提供することを課題とする。
【課題を解決するための手段】
【０００４】
市販の小ぶりの歯ブラシの植毛の柄の部分にサクションカテーテル（医療用具承認番号  １５９００ＢＺＺ０１４５５０００）を挿入するための穴（サイズが１２Ｆｒのサクションカテーテルの場合は、直径４ｍｍ）を２ヶ所、家庭用ドリルであける。このときの、穴と穴の間隔は２ｍｍ程度とする。
歯ブラシにあけた２ヶ所の前方の穴に挿入したカテーテルの末尾をサクションチューブに接続し、吸引する。また、後方のカテーテルは洗浄用水を入れた経管栄養用ボトルのルートへ接続し、注水する。
【考案の効果】
【０００５】
注水と吸引が同時に行うことにより誤嚥の危険性を回避、ケア時間の短縮することができる。
口角鉤を併用することにより口腔内の視野を確保しながらブラッシングのケアの状態が見やすい。
介助者の片手が自由に使えることにより、開口のためにＫポイントを圧したり頭部を動かす、または、噛むなどの不意の対象者の動作にも対応できる。
安価であり病院の臨床の現場では日常使っている物品にて簡単に口腔ケア用具が製作可能である。
【考案を実施するための最良の形態】
【０００６】
図面を参照して本考案の実施の形態の一例を説明する。
歯ブラシ９にあけた２ヶ所の穴のうち、前方の吸引用先端孔２に挿入した吸引用サクションカテーテル１の末尾をサクションチューブに接続し、吸引機１０により吸引する。なお、ブラッシング時における口腔内の洗浄水は吸引用サクションカテーテル１の側孔５から吸引される。また、後方の洗浄用先端孔４に挿入した注水用サクションカテーテル３は、点滴スタンド７に吊るされた洗浄用水を入れた経管栄養用ボトル８のルートへ接続し注水する。この時、経管栄養ボトル８より滴下される洗浄水は、注水用サクションカテーテル３の側孔から口腔内に注入される。
【図面の簡単な説明】
【０００７】
【図１】歯ブラシのブラシ部の平面図
【図２】歯ブラシのブラシ部の断面図
【図３】吸引注水機能つき歯ブラシ使用装置略図
【符号の説明】
【０００８】
１    吸引用サクションカテーテル
２    吸引用先端孔
３    注水用サクションカテーテル
４    注水用先端孔
５    側孔
６    毛
７    点滴スタンド
８    経管栄養ボトル
９    吸引注水機能つき歯ブラシ
１０  吸引機